(57)【要約】【課題】データ通信網とＩＰ電話網が接続されるゲートウェイ装置とＶｏＩＰ終端装置へのユーザ設定の負担を軽減する。【解決手段】ＩＰ電話網１００と通信するＶｏＩＰ終端装置２０に関する情報をＶｏＩＰ終端装置設定情報に登録し、ＩＰ電話網１００に関する情報をＤＨＣＰ設定情報に登録しておき、転送設定部１１３がパケットの転送ルールを定めたパケット転送設定情報をＶｏＩＰ終端装置設定情報とＤＨＣＰ設定情報から生成し、生成部１３２がＳＩＰ情報をゲートウェイ装置内部設定情報とＤＨＣＰ設定情報から生成してＶｏＩＰ終端装置２０へ通知する。これにより、ユーザを煩わせることなくゲートウェイ装置１０及びＶｏＩＰ終端装置２０を設定することが可能となる。また、ＶｏＩＰ終端装置設定情報に、ＩＰ電話網１００と通信するＶｏＩＰ終端装置２０を登録することで、ユーザは、ＶｏＩＰサービスとインターネットを同時に利用することができる。【選択図】図１
2010268356.tif 000002
【特許請求の範囲】
【請求項１】
データ通信網とＩＰ電話網をＷＡＮ側に接続するゲートウェイ装置であって、
前記ＩＰ電話網と通信する端末に関する情報を登録した端末設定情報及び前記ＩＰ電話網に関する情報を登録した網側情報を格納する記憶手段と、
前記記憶手段から前記端末設定情報と前記網側情報を読み出し、前記端末設定情報に登録された端末と前記ＩＰ電話網との間でパケットを中継するとともに、前記端末設定情報に登録されていない端末と前記データ通信網との間でパケットを中継するように設定する転送情報を生成して前記記憶手段に格納させる転送設定手段と、
前記転送情報を参照し、ＬＡＮ側に接続される端末と前記データ通信網あるいは前記ＩＰ電話網との間でパケットを中継する転送手段と、
前記端末から前記ＩＰ電話網との通信に必要なＩＰ電話情報が要求されたときに、当該端末が前記端末設定情報に登録されているか否かを判定し、当該端末が前記端末設定情報に登録されている場合は、当該端末に設定する前記ＩＰ電話情報を通知する通知手段と、
を有することを特徴とするゲートウェイ装置。
【請求項２】
前記ＩＰ電話網から前記網側情報の再取得要求を受信したときに、前記網側情報を更新するとともに、前記端末設定情報に登録された端末に対して当該端末の設定の更新を要求する更新手段を有することを特徴とする請求項１記載のゲートウェイ装置。
【請求項３】
データ通信網とＩＰ電話網をＷＡＮ側に接続するゲートウェイ装置の中継方法であって、
前記ＩＰ電話網と通信する端末に関する情報を登録した端末設定情報及び前記ＩＰ電話網に関する情報を登録した網側情報を格納する記憶手段から前記端末設定情報と前記網側情報を読み出し、前記端末設定情報に登録された端末と前記ＩＰ電話網との間でパケットを中継するとともに、前記端末設定情報に登録されていない端末と前記データ通信網との間でパケットを中継するように設定する転送情報を生成して前記記憶手段に格納させるステップと、
前記転送情報を参照し、ＬＡＮ側に接続される端末と前記データ通信網あるいは前記ＩＰ電話網との間でパケットを中継するステップと、
前記端末から前記ＩＰ電話網との通信に必要なＩＰ電話情報が要求されたときに、当該端末が前記端末設定情報に登録されているか否かを判定し、当該端末が前記端末設定情報に登録されている場合は、当該端末に設定する前記ＩＰ電話情報を通知するステップと、
を有することを特徴とする中継方法。
【請求項４】
前記ＩＰ電話網から前記網側情報の再取得要求を受信したときに、前記網側情報を更新するとともに、前記端末設定情報に登録された端末に対して当該端末の設定の更新を要求するステップを有することを特徴とする請求項３記載の中継方法。
【請求項５】
請求項１又は２に記載のゲートウェイ装置を構成する各手段としてコンピュータを機能させるための中継プログラム。
【請求項６】
請求項１又は２に記載のゲートウェイ装置を構成する各手段としてコンピュータを機能させるための中継プログラムを記録した記録媒体。
【発明の詳細な説明】
【技術分野】
【０００１】
本発明は、端末とネットワークとを接続する技術に関し、特にＳＩＰを利用したＶｏＩＰサービスに用いられるゲートウェイ装置、中継方法、中継プログラム及び記録媒体に関する。
【背景技術】
【０００２】
ＳＩＰ（Ｓｅｓｓｉｏｎ  Ｉｎｉｔｉａｔｉｏｎ  Ｐｒｏｔｏｃｏｌ）を利用したＶｏＩＰ（Ｖｏｉｃｅ  ｏｖｅｒ  Ｉｎｔｅｒｎｅｔ  Ｐｒｏｔｏｃｏｌ）サービスがＩＳＰ（Ｉｎｔｅｒｎｅｔ  Ｓｅｒｖｉｃｅ  Ｐｒｏｖｉｄｅｒ）や通信事業者によって提供されている。ＶｏＩＰサービスの利用にあたっては、ＳＩＰを解釈し、通話パケットを音声信号に変換する機能を備えた装置（以下、「ＶｏＩＰ終端装置」と称する）が必要となる。
【０００３】
ユーザがインターネットサービスやＶｏＩＰサービスを利用する際、宅内の端末と通信網を中継するＣＰＥ（Ｃｕｓｔｏｍｅｒ  Ｐｒｅｍｉｓｅｓ  Ｅｑｕｉｐｍｅｎｔ：加入者宅内機器）のようなゲートウェイ装置を用いる（例えば、特許文献１参照）。ゲートウェイ装置は、ＷＡＮ（広域ネットワーク）とＬＡＮ（ローカルエリアネットワーク）に接続するインタフェースを持ち、ＬＡＮ側に接続された端末と、ＷＡＮ側の通信を中継する。ＶｏＩＰサービスの利用に際して、ゲートウェイ装置にＶｏＩＰ終端装置が内蔵されていない場合、ユーザはゲートウェイ装置の配下に別途ＶｏＩＰ終端装置を接続する。ＶｏＩＰ終端装置はゲートウェイ装置のＬＡＮ側に接続され、通常は、ＬＡＮ側セグメントのローカルＩＰ（Ｉｎｔｅｒｎｅｔ  Ｐｒｏｔｏｃｏｌ）アドレスが割り当てられる。そして、ＶｏＩＰ終端装置が送受信するＳＩＰメッセージおよび通話パケットはゲートウェイ装置によって中継、転送される。
【０００４】
上記の構成でＶｏＩＰサービスを利用する場合、下記の２つの設定を行う必要が生じる。第１に、ゲートウェイ装置がＶｏＩＰ終端装置の送受信するパケットを転送するために、ゲートウェイ装置のネットワークアドレス変換機能（ＮＡＴ：Ｎｅｔｗｏｒｋ  Ａｄｄｒｅｓｓ  Ｔｒａｎｓｌａｔｉｏｎ）、ファイアウォール、ルーティングを適切に設定する必要がある。第２に、ＳＩＰメッセージを生成するために、ゲートウェイ装置のＷＡＮ側インタフェースに割り当てられたグローバルＩＰアドレスをＶｏＩＰ終端装置が把握する必要がある。
【０００５】
上記の設定を行うために、従来技術としてＵＰｎＰ（Ｕｎｉｖｅｒｓａｌ  Ｐｌｕｇ  ａｎｄ  Ｐｌａｙ）に対応したゲートウェイ装置とＶｏＩＰ終端装置を用いたＵＰｎＰ  ＮＡＴ  Ｔｒａｖｅｒｓａｌがある。ＶｏＩＰ終端装置はＵＰｎＰを通じてゲートウェイ装置のグローバルＩＰアドレスを取得し、ＮＡＴ設定を行うことができる。ＵＰｎＰ  ＮＡＴ  Ｔｒａｖｅｒｓａｌは、ＶｏＩＰ終端装置のみならず、ゲートウェイ装置のＬＡＮ側に接続された非ＶｏＩＰ端末上のアプリケーションでも用いられる。アプリケーションの例として、ＷＡＮを介して他者の端末とメッセージを交換するインスタントメッセンジャーが挙げられる。
【０００６】
ところで、ＶｏＩＰサービスの中には、ＩＳＰを介してインターネット上のサービスを利用するためのデータ通信網とは別に構築されたＩＰ電話網を利用する形態のものがある（例えば、非特許文献１参照）。ＩＰ電話網はデータ通信網とは異なるサブネットであるため、ゲートウェイ装置のＷＡＮ側インタフェースには、データ通信網とＩＰ電話網それぞれに対して通信するためのＩＰアドレスが割り当てられる。
【先行技術文献】
【特許文献】
【０００７】
【特許文献１】特許第４０９１６１９号公報
【非特許文献】
【０００８】
【非特許文献１】「音声利用ＩＰ通信網サービス（第２種サービス  タイプ１メニュー１）のインタフェース」、［ｏｎｌｉｎｅ］、２００８年３月３１日、西日本電信電話株式会社、［平成２１年４月２０日検索］、インターネット〈ＵＲＬ：http://flets-w.com/hikaridenwa/download/hikari_tel5.0.pdf〉
【発明の概要】
【発明が解決しようとする課題】
【０００９】
ＩＳＰが提供するＶｏＩＰサービスを利用する場合は、ゲートウェイ装置が接続するネットワークはデータ通信網のみであり、ＶｏＩＰ終端装置および非ＶｏＩＰ端末がＵＰｎＰで取得するグローバルＩＰアドレスは同一でよい。ところが、ゲートウェイ装置にＩＰ電話網とデータ通信網を接続し、ＩＰ電話網を利用するＶｏＩＰ終端装置とデータ通信網を利用する非ＶｏＩＰ端末の両方がＵＰｎＰを利用する場合、ゲートウェイ装置は接続された端末の種類に応じたグローバルＩＰアドレスを通知する必要が生じる。
【００１０】
しかしながら、ＵＰｎＰでは、接続された端末を識別して端末に応じたＩＰアドレスを通知する方法は規定されていない。ＩＰ電話網とデータ通信網が異なる場合では、ＶｏＩＰ終端装置と非ＶｏＩＰ端末のどちらかがＵＰｎＰ  ＮＡＴ  Ｔｒａｖｅｒｓａｌを利用できなくなるという問題が生じる。
【００１１】
ＶｏＩＰ終端装置がＵＰｎＰ  ＮＡＴ  Ｔｒａｖｅｒｓａｌを利用しない場合、ユーザがゲートウェイ装置ならびにＶｏＩＰ終端装置にＩＰアドレスやＮＡＴ等の設定を手動で設定すればＶｏＩＰサービスの利用は可能であるが、この設定作業はユーザの負担につながる。また、ＩＰ電話網側の設備工事やユーザの契約変更によって、ゲートウェイ装置に割り当てるＩＰアドレスや契約電話番号の変更などが起こる度に、ユーザは手動でゲートウェイ装置ならびにＶｏＩＰ終端装置の設定を変更しなければならず、これもユーザにとって負担である。
【００１２】
本発明は、上記に鑑みてなされたものであり、その目的とするところは、データ通信網とＩＰ電話網が接続されるゲートウェイ装置とＶｏＩＰ終端装置へのユーザ設定の負担を軽減することである。
【課題を解決するための手段】
【００１３】
第１の本発明に係るゲートウェイ装置は、データ通信網とＩＰ電話網をＷＡＮ側に接続するゲートウェイ装置であって、ＩＰ電話網と通信する端末に関する情報を登録した端末設定情報及びＩＰ電話網に関する情報を登録した網側情報を格納する記憶手段と、記憶手段から端末設定情報と網側情報を読み出し、端末設定情報に登録された端末とＩＰ電話網との間でパケットを中継するとともに、端末設定情報に登録されていない端末とデータ通信網との間でパケットを中継するように設定する転送情報を生成して記憶手段に格納させる転送設定手段と、転送情報を参照し、ＬＡＮ側に接続される端末とデータ通信網あるいはＩＰ電話網との間でパケットを中継する転送手段と、端末からＩＰ電話網との通信に必要なＩＰ電話情報が要求されたときに、当該端末が端末設定情報に登録されているか否かを判定し、当該端末が端末設定情報に登録されている場合は、当該端末に設定するＩＰ電話情報を通知する通知手段と、を有することを特徴とする。
【００１４】
上記ゲートウェイ装置において、ＩＰ電話網から網側情報の再取得要求を受信したときに、網側情報を更新するとともに、端末設定情報に登録された端末に対して当該端末の設定の更新を要求する更新手段を有することを特徴とする。
【００１５】
第２の本発明に係る中継方法は、データ通信網とＩＰ電話網をＷＡＮ側に接続するゲートウェイ装置の中継方法であって、ＩＰ電話網と通信する端末に関する情報を登録した端末設定情報及びＩＰ電話網に関する情報を登録した網側情報を格納する記憶手段から端末設定情報と網側情報を読み出し、端末設定情報に登録された端末とＩＰ電話網との間でパケットを中継するとともに、端末設定情報に登録されていない端末とデータ通信網との間でパケットを中継するように設定する転送情報を生成して記憶手段に格納させるステップと、転送情報を参照し、ＬＡＮ側に接続される端末とデータ通信網あるいはＩＰ電話網との間でパケットを中継するステップと、端末からＩＰ電話網との通信に必要なＩＰ電話情報が要求されたときに、当該端末が端末設定情報に登録されているか否かを判定し、当該端末が端末設定情報に登録されている場合は、当該端末に設定するＩＰ電話情報を通知するステップと、を有することを特徴とする。
【００１６】
上記中継方法において、ＩＰ電話網から網側情報の再取得要求を受信したときに、網側情報を更新するとともに、端末設定情報に登録された端末に対して当該端末の設定の更新を要求するステップを有することを特徴とする。
【００１７】
第３の本発明に係る中継プログラムは、上記ゲートウェイ装置を構成する各手段としてコンピュータを機能させることを特徴とする。
【００１８】
第４の本発明に係る記録媒体は、上記ゲートウェイ装置を構成する各手段としてコンピュータを機能させるための中継プログラムを記録したことを特徴とする。
【発明の効果】
【００１９】
本発明によれば、データ通信網とＩＰ電話網が接続されるゲートウェイ装置とＶｏＩＰ終端装置へのユーザ設定の負担を軽減することができる。
【図面の簡単な説明】
【００２０】
【図１】本実施の形態におけるゲートウェイ装置の構成および利用環境を示すブロック図である。
【図２】ＶｏＩＰ終端装置設定情報の構成例を示す図である。
【図３】ゲートウェイ装置内部設定情報の構成例を示す図である。
【図４】ＤＨＣＰ設定情報の構成例を示す図である。
【図５】上記ゲートウェイ装置の処理の流れを示すフローチャートである。
【図６】上記ゲートウェイ装置がＤＨＣＰ設定情報を取得する処理の流れを示すシーケンス図である。
【図７】上記ゲートウェイ装置がＶｏＩＰ終端装置にＩＰアドレスを払い出す処理の流れを示すシーケンス図である。
【図８】ＤＨＣＰ情報を生成する様子を示す図である。
【図９】上記ゲートウェイ装置がＶｏＩＰ終端装置にＳＩＰ情報を通知する処理の流れを示すシーケンス図である。
【図１０】ＳＩＰ情報要求メッセージの例を示す図である。
【図１１】ＳＩＰ情報を生成する様子を示す図である。
【図１２】ＳＩＰ情報応答メッセージの例を示す図である。
【図１３】ゲートウェイ装置とＶｏＩＰ終端装置の設定情報を更新する処理の流れを示すフローチャートである。
【発明を実施するための形態】
【００２１】
以下、本発明の実施の形態について図面を用いて説明する。
【００２２】
図１は、本実施の形態におけるゲートウェイ装置の構成および利用環境を示すブロック図である。同図に示すゲートウェイ装置１０のＷＡＮ側はＩＰ電話網１００とデータ通信網２００に接続され、ＬＡＮ側にはＶｏＩＰ終端装置２０と非ＶｏＩＰ端末３０を接続する。ＩＰ電話網１００には、ＤＨＣＰサーバ１１０とＳＩＰサーバ１２０が配置される。
【００２３】
ゲートウェイ装置１０は、ＤＨＣＰクライアント部１１、ＤＨＣＰサーバ部１２、ＳＩＰ情報通知部１３、パケット転送部１４、および設定記憶部１５を備える。ゲートウェイ装置１０は、演算処理装置、記憶装置、メモリ等を備えたコンピュータにより構成して、各部の処理がプログラムによって実行されるものとしてもよい。このプログラムはゲートウェイ装置１０が備える記憶装置に記憶されており、磁気ディスク、光ディスク、半導体メモリ等の記録媒体に記録することも、ネットワークを通して提供することも可能である。以下、各部の処理の概要について説明する。
【００２４】
ＤＨＣＰクライアント部１１は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）に従って処理を行うプロトコル処理部１１１、ＤＨＣＰサーバ１１０が送信するＤＨＣＰメッセージからＤＨＣＰ設定情報を抽出する抽出部１１２、およびパケット転送設定情報を作成して設定する転送設定部１１３を備える。
【００２５】
ＤＨＣＰサーバ部１２は、ＤＨＣＰに従って処理を行うプロトコル処理部１２１、ＤＨＣＰメッセージの送信元がＶｏＩＰ終端装置２０であるか否かを判定する判定部１２２、および送信元に応じたＤＨＣＰメッセージを生成する生成部１２３を備える。なお、ＤＨＣＰメッセージの送信元がＶｏＩＰ終端装置２０であるか否かは、後述するＶｏＩＰ終端装置設定情報に送信元の端末が登録されているか否かにより判定される。
【００２６】
ＳＩＰ情報通知部１３は、ＶｏＩＰ終端装置２０が送信したＳＩＰ情報要求メッセージを受信し、ＶｏＩＰ終端装置２０にＳＩＰ情報応答メッセージを送信するメッセージ処理部１３１、およびＳＩＰ情報応答メッセージを生成する生成部１３２を備える。ＳＩＰ情報応答メッセージは、ＳＩＰ情報要求メッセージの送信元が後述するＶｏＩＰ終端装置設定情報に登録されている場合に生成して送信される。
【００２７】
パケット転送部１４は、ローカルＩＰアドレスとグローバルＩＰアドレスを相互に変換するアドレス変換部１４１、パケットの通過を制御するフィルタリング部１４２、およびパケットの転送先を決めるルーティング部１４３を備える。パケット転送部１４は、後述する設定記憶部１５に格納したパケット転送設定情報に基づいてパケットを転送する。
【００２８】
設定記憶部１５は、ＶｏＩＰ終端装置設定情報、ゲートウェイ装置内部設定情報、ＤＨＣＰ設定情報、ＳＩＰ情報、およびパケット転送設定情報を格納する。以下、各設定記憶部１５が格納する各種情報について説明する。
【００２９】
図２は、ＶｏＩＰ終端装置設定情報の構成例を示す図である。ＶｏＩＰ終端装置設定情報は、ＶｏＩＰ終端装置２０のＭＡＣアドレス、ＶｏＩＰ終端装置２０に設定するＩＰアドレスを保持する。他にも、ＶｏＩＰ終端装置２０とＩＰアドレスを固定的に払い出すその他の端末とを区別するための識別フラグを保持してもよい。設定記憶部１５に格納されるＶｏＩＰ終端装置設定情報は、ユーザが設定端末４０を用いて登録する。ＶｏＩＰ終端装置設定情報に登録されているか否かを判定することにより、ＶｏＩＰ終端装置２０であるか非ＶｏＩＰ端末３０であるかを識別することが可能となる。
【００３０】
図３は、ゲートウェイ装置内部設定情報の構成例を示す図である。ゲートウェイ装置内部設定情報は、ゲートウェイ装置１０のＭＡＣアドレス、ゲートウェイ装置１０のＬＡＮ側のＩＰアドレス、およびＬＡＮ側セグメントのサブネットマスクを保持する。
【００３１】
図４は、ＤＨＣＰ設定情報の構成例を示す図である。ＤＨＣＰ設定情報は、ＩＰ電話網１００と通信するためのＩＰアドレス、サブネットマスク、ルータアドレスと、ＶｏＩＰサービスを利用するためのＳＩＰサーバ１２０のアドレス、電話番号、ＳＩＰドメイン名を保持する。他にも、ＤＨＣＰサーバ１１０のアドレス、ＤＨＣＰサーバ１１０に再度問い合わせを行うためのリース時間等を保持してもよい。なお、ＤＨＣＰ設定情報は、ＤＨＣＰサーバ１１０から取得した情報に基づいて設定する。
【００３２】
パケット転送設定情報（図示せず）には、パケット転送処理で用いるＮＡＴ／ＮＡＰＴ、フィルタリング、ルーティングの各種情報が設定される。パケット転送設定情報は、ＶｏＩＰ終端装置２０とＩＰ電話網１００との間でパケットを中継し、非ＶｏＩＰ端末３０とデータ通信網２００との間でパケットを中継するように設定される。パケット転送設定情報は、転送設定部１１３により、ＶｏＩＰ終端装置設定情報とＤＨＣＰ設定情報から作成される。
【００３３】
次に、本実施の形態におけるゲートウェイ装置の動作について説明する。前提としてＩＰ電話網１００のＤＨＣＰサーバ１１０には、ゲートウェイ装置１０のＭＡＣアドレスに対応させたユーザ設定があらかじめ登録されているものとし、ＶｏＩＰサービスで使用するＶｏＩＰ終端装置２０のＭＡＣアドレス、ＶｏＩＰ終端装置２０に設定するＩＰアドレスは設定記憶部１５のＶｏＩＰ終端装置設定情報に登録されているものとする。
【００３４】
図５は、本実施の形態におけるゲートウェイ装置の処理の流れを示すフローチャートである。
【００３５】
まず、ＤＨＣＰクライアント部１１がＩＰ電話網１００のＤＨＣＰサーバ１１０からＩＰ電話網１００に接続するためのＩＰアドレスを始めとする情報を取得し、ＤＨＣＰ設定情報として設定記憶部１５に格納する（ステップＳ１１）。このときのＤＨＣＰシーケンスについては後述する。
【００３６】
続いて、ＤＨＣＰクライアント部１１の転送設定部１１３がＶｏＩＰサービス利用のためのパケット転送を設定する（ステップＳ１２）。転送設定部１１３は、設定記憶部１５からＶｏＩＰ終端装置設定情報とＤＨＣＰ設定情報を読み出し、ＶｏＩＰ終端装置２０とＩＰ電話網１００間のパケット転送のための設定を生成し、設定記憶部１５にパケット設定情報として設定する。具体的には、ＮＡＴについては、ＩＰ電話網１００と接続するゲートウェイ装置１０のＷＡＮ側ＩＰアドレスとＶｏＩＰ終端装置２０のＩＰアドレス間で、全てのポート番号、全てのプロトコルでＮＡＴを許可するよう設定する。ファルタリングについては、ＶｏＩＰ終端装置２０とＩＰ電話網１００の間の全てのパケットの通過を許可する一方で、ＶｏＩＰ終端装置２０以外の端末とＩＰ電話網１００との間の全てのパケットの通過を拒否するよう設定する。また、ルーティングについては、ＶｏＩＰ終端装置２０から送出されるパケットはＩＰ電話網１００に転送し、ＩＰ電話網１００から受信したパケットはＶｏＩＰ終端装置２０に転送するよう設定する。このとき、ＶｏＩＰ転送のための各種設定は、ユーザ設定よりも優先順位を高く設定する。これにより、ユーザが誤ってＶｏＩＰに関するパケットを阻害する設定をした場合もＶｏＩＰを利用した通話が保証される。
【００３７】
続いて、ＶｏＩＰ終端装置２０がゲートウェイ装置１０に接続されると、ＶｏＩＰ終端装置２０がＤＨＣＰによりゲートウェイ装置１０に対してＩＰアドレスの取得を試みるので、ＤＨＣＰサーバ部１２は、ＶｏＩＰ終端装置２０の要求に応じてＤＨＣＰ設定情報を生成し通知する（ステップＳ１３）。このときのＤＨＣＰシーケンスおよびＤＨＣＰ設定情報の生成については後述する。
【００３８】
続いて、ＶｏＩＰ終端装置２０がゲートウェイ装置１０にＳＩＰ情報を要求すると、ＳＩＰ情報通知部１３は、ＶｏＩＰ終端装置２０の要求に応じてＳＩＰ情報を生成し通知する（ステップＳ１４）。ＳＩＰ情報の生成、通知については後述する。
【００３９】
以降、パケット転送部１４は、ステップＳ１２で設定されたパケット転送設定情報に基づいて、ＶｏＩＰ終端装置２０とＩＰ電話網１００間のパケットを転送する（ステップＳ１５）。これにより、ＶｏＩＰ終端装置２０は、ＶｏＩＰサービスを利用することが可能となる。また、説明は割愛したが、パケット転送部１４は、非ＶｏＩＰ端末とデータ通信網２００間のパケット転送処理も行う。なお、ＲＥＧＩＳＴＥＲサーバへの登録、ＳＩＰメッセージの送受信、通話パケットの送受信は、ＶｏＩＰ終端装置２０が行うので、ここでの説明は省略する。
【００４０】
次に、ゲートウェイ装置１０がＤＨＣＰ設定情報を取得するステップＳ１１の処理について説明する。
【００４１】
図６は、ゲートウェイ装置１０がＤＨＣＰ設定情報を取得する処理の流れを示すシーケンス図である。
【００４２】
まず、ＤＨＣＰクライアント部１１のプロトコル処理部１１１がゲートウェイ装置内部設定情報に保持されたＭＡＣアドレスをＤＨＣＰ  ＤＩＳＣＯＶＥＲメッセージに設定して送出する（ステップＳ２１）。
【００４３】
ＤＨＣＰ  ＤＩＳＣＯＶＥＲメッセージを受信したＤＨＣＰサーバ１１０は、あらかじめ登録されたゲートウェイ装置１０のＭＡＣアドレスに対応するＩＰ電話設定を含む情報を生成し（ステップＳ２２）、ＤＨＣＰ  ＯＦＦＥＲメッセージで通知する（ステップＳ２３）。
【００４４】
プロトコル処理部１１１は、ＤＨＣＰ  ＯＦＦＥＲメッセージに含まれる情報がＤＨＣＰ設定情報に記録すべき設定項目と過不足なければ、ＤＨＣＰ  ＲＥＱＵＥＳＴメッセージを送出しＤＨＣＰサーバ１１０に情報を要求する（ステップＳ２４）。
【００４５】
そして、プロトコル処理部１１１がＤＨＣＰサーバ１１０の送出したＤＨＣＰ  ＡＣＫメッセージを受信すると（ステップＳ２５）、抽出部１１２がＤＨＣＰ  ＡＣＫメッセージに含まれる情報からＤＨＣＰ設定情報を抽出して設定記憶部１５に記録する（ステップＳ２６）。
【００４６】
次に、ゲートウェイ装置１０がＶｏＩＰ終端装置２０にＩＰアドレスを払い出すステップＳ１３の処理について説明する。
【００４７】
図７は、ゲートウェイ装置１０がＶｏＩＰ終端装置２０にＩＰアドレスを払い出す処理の流れを示すシーケンス図である。
【００４８】
まず、ＤＨＣＰサーバ部１２のプロトコル処理部１２１がＶｏＩＰ終端装置２０の送出したＤＨＣＰ  ＤＩＳＣＯＶＥＲメッセージを受信すると（ステップＳ３１）、判定部１２２は、ＤＨＣＰ  ＤＩＳＣＯＶＥＲメッセージに含まれるＶｏＩＰ終端装置２０のＭＡＣアドレスと、設定記憶部１５に記録されたＶｏＩＰ終端装置情報とを照合する（ステップＳ３２）。
【００４９】
照合できた場合、生成部１２３は、設定記憶部１５からＶｏＩＰ終端装置情報、ゲートウェイ装置内部設定情報、およびＤＨＣＰ設定情報を読み出し、ＶｏＩＰ終端装置情報に登録されたＩＰアドレスをＶｏＩＰ終端装置２０に払い出すＩＰアドレスとし、ゲートウェイ装置内部設定情報とＤＨＣＰ設定情報からＤＨＣＰ  ＯＦＦＥＲメッセージ、ＤＨＣＰ  ＡＣＫメッセージを生成する（ステップＳ３３）。ＶｏＩＰ終端装置情報、ゲートウェイ装置内部設定情報、およびＤＨＣＰ設定情報からＶｏＩＰ終端装置２０へ送出するＤＨＣＰ情報を生成する様子を図８に示す。
【００５０】
生成されたＤＨＣＰ  ＯＦＦＥＲメッセージはＶｏＩＰ終端装置２０に送出される（ステップＳ３４）。プロトコル処理部１２１は、ＤＨＣＰ  ＲＥＱＵＥＳＴメッセージを受信すると（ステップＳ３５）、ＤＨＣＰ  ＡＣＫメッセージをＶｏＩＰ終端装置２０に送出する（ステップＳ３６）。
【００５１】
なお、ＭＡＣアドレスが照合できない場合、つまり、ＤＨＣＰ  ＤＩＳＣＯＶＥＲメッセージの送信元がＶｏＩＰ終端装置２０でない場合、ＤＨＣＰサーバ部１２は、ＤＨＣＰ設定情報に登録されているＩＰアドレス以外のＩＰアドレスを通知する。これにより、ＶｏＩＰ終端装置２０と非ＶｏＩＰ端末３０のＩＰアドレスが重複することなく、両者がネットワークに同時に接続することができる。
【００５２】
次に、ステップＳ１４におけるゲートウェイ装置１０がＳＩＰ情報を生成し、ＶｏＩＰ終端装置２０に通知する処理について説明する。
【００５３】
図９は、ゲートウェイ装置１０がＶｏＩＰ終端装置２０にＳＩＰ情報を通知する処理の流れを示すシーケンス図である。
【００５４】
まず、ＶｏＩＰ終端装置２０がＨＴＴＰ（Ｈｙｐｅｒｔｅｘｔ  Ｔｒａｎｓｆｅｒ  Ｐｒｏｔｏｃｏｌ）を用いてＳＩＰ情報要求メッセージを送信する（ステップＳ４１）。ＳＩＰ情報要求メッセージの例を図１０に示す。ＳＩＰ情報要求メッセージには、送信元がＶｏＩＰ終端装置２０であることを識別するために、送信元の端末のＭＡＣアドレスが設定されている。
【００５５】
ＳＩＰ情報要求メッセージを受信したＳＩＰ情報通知部１３のメッセージ処理部１３１は、設定記憶部１５からＶｏＩＰ終端装置設定情報を読み出し、ＳＩＰ情報要求メッセージに設定されたＭＡＣアドレスとＶｏＩＰ終端装置設定情報に登録されたＭＡＣアドレスとを照合する（ステップＳ４２）。
【００５６】
照合できた場合、生成部１３２は、設定記憶部１５からゲートウェイ装置内部設定情報とＤＨＣＰ設定情報を読み出し、ＳＩＰ情報を生成する（ステップＳ４３）。ゲートウェイ装置内部設定情報、およびＤＨＣＰ設定情報からＳＩＰ情報を生成する様子を図１１に示す。
【００５７】
そして、受信したＳＩＰ情報要求メッセージに対応するＳＩＰ情報応答メッセージをＨＴＴＰを用いて送信する（ステップＳ４４）。図１１のＳＩＰ情報から生成したＳＩＰ情報応答メッセージの例を図１２に示す。なお、ＭＡＣアドレスが照合できない場合は、ＨＴＴＰエラーメッセージ（例えば、４０３  Ｆｏｒｂｉｄｄｅｎ）を応答として送信する。
【００５８】
次に、ＶｏＩＰサービスを利用中にＩＰ電話網１００で管理する設定情報に何かしらの変更が生じたとき、その変更をゲートウェイ装置１０やＶｏＩＰ終端装置２０に反映する処理の流れを説明する。ＩＰ電話網１００で管理する設定情報の変更とは、例えば網側の設備工事に伴う、ゲートウェイ装置１０に設定するＩＰアドレスの変更やルーティング情報の変更などである。
【００５９】
図１３は、ＩＰ電話網１００で管理する設定情報に生じた変更をゲートウェイ装置１０とＶｏＩＰ終端装置２０に反映する処理の流れを示すフローチャートである。
【００６０】
まず、ＤＨＣＰクライアント部１１がＩＰ電話網１００に配置されたＤＨＣＰサーバ１１０から送信された再取得要求を受信する（ステップＳ５１）。ＤＨＣＰサーバ１１０は、再取得要求として、ＤＨＣＰ設定情報の再取得を促すＤＨＣＰ  ＦＯＲＣＥＲＥＮＥＷメッセージを送信する。
【００６１】
再取得要求を受信したＤＨＣＰクライアント部１１は、ＤＨＣＰサーバ１１０からＤＨＣＰ設定情報を再取得して設定記憶部１５に記録する（ステップＳ５２）。なお、ＤＨＣＰクライアント部１１がＤＨＣＰ設定情報を再取得する処理は、図６に示したステップＳ２１〜ステップＳ２６の処理と同様である。
【００６２】
続いて、転送設定部１１３がＶｏＩＰサービス利用のためのパケット転送を再設定する（ステップＳ５３）。
【００６３】
続いて、ＤＨＣＰクライアント部１１は、ＤＨＣＰサーバ部１２に設定情報更新要求を促す制御信号を送信し、ＶｏＩＰ終端装置２０への情報再設定を指示する（ステップＳ５４）。
【００６４】
そして、ＤＨＣＰサーバ部１２は、ＶｏＩＰ終端装置２０へ再取得要求を送信する（ステップＳ５５）。ＤＨＣＰサーバ部１２は、再取得要求として、ＤＨＣＰ情報の再取得を促すＤＨＣＰ  ＦＯＲＣＥＲＥＮＥＷメッセージを送信する。ＶｏＩＰ終端装置設定情報に登録されている端末すべてに対して再取得要求は送信される。
【００６５】
ＤＨＣＰサーバ部１２は、ＶｏＩＰ終端装置２０からＤＨＣＰ情報の再取得要求に応じてＤＨＣＰ情報を生成し通知する（ステップＳ５６）。なお、ＤＨＣＰ情報を生成し通知する処理は、図７に示したステップＳ３１〜ステップＳ３６の処理と同様である。
【００６６】
その後、ＳＩＰ情報通知部１３がＶｏＩＰ終端装置２０の要求に応じてＳＩＰ情報を生成して通知する（ステップＳ５７）。この処理は、図９に示したステップＳ４１〜ステップＳ４４の処理と同様である。
【００６７】
以降、パケット転送部１４は、ＶｏＩＰ終端装置２０とＩＰ電話網１００間のパケットおよび非ＶｏＩＰ端末３０とデータ通信網２００間のパケットを転送する（ステップＳ５８）。
【００６８】
したがって、本実施の形態によれば、ＩＰ電話網１００と通信するＶｏＩＰ終端装置２０に関する情報をＶｏＩＰ終端装置設定情報に登録し、ＩＰ電話網１００に関する情報をＤＨＣＰ設定情報に登録しておき、転送設定部１１３がパケットの転送ルールを定めたパケット転送設定情報をＶｏＩＰ終端装置設定情報とＤＨＣＰ設定情報から生成し、生成部１３２がＳＩＰ情報をゲートウェイ装置内部設定情報とＤＨＣＰ設定情報から生成してＶｏＩＰ終端装置２０へ通知することにより、ユーザを煩わせることなくゲートウェイ装置１０及びＶｏＩＰ終端装置２０を設定することが可能となる。また、ＶｏＩＰ終端装置設定情報に、ＩＰ電話網１００と通信するＶｏＩＰ終端装置２０を登録することで、ゲートウェイ装置１０のＬＡＮ側に接続される装置がＩＰ電話網１００、データ通信網２００のいずれと通信するものであるか区別することができるので、ユーザは、ＶｏＩＰサービスとインターネットを同時に利用することができる。
【００６９】
本実施の形態によれば、ＩＰ電話網１００で管理する設定情報に変更が生じたときに、ＤＨＣＰサーバ１１０の要求によってＤＨＣＰ設定情報を更新し、そのＤＨＣＰ設定情報に基づいてパケット転送設定情報を更新するとともに、ＶｏＩＰ終端装置２０に対して情報再設定を指示することにより、ユーザを煩わせることなくサービスを継続して利用することが可能となる。
【符号の説明】
【００７０】
１０…ゲートウェイ装置
１１…ＤＨＣＰクライアント部
１１０…ＤＨＣＰサーバ
１１１…プロトコル処理部
１１２…抽出部
１１３…転送設定部
１２…ＤＨＣＰサーバ部
１２０…ＳＩＰサーバ
１２１…プロトコル処理部
１２２…判定部
１２３…生成部
１３…ＳＩＰ情報通知部
１３１…メッセージ処理部
１３２…生成部
１４…パケット転送部
１４１…アドレス変換部
１４２…フィルタリング部
１４３…ルーティング部
１５…設定記憶部
２０…ＶｏＩＰ終端装置
３０…端末
４０…設定端末
１００…ＩＰ電話網
２００…データ通信網
【図１】
2010268356.tif 000003
【図２】
2010268356.tif 000004
【図３】
2010268356.tif 000005
【図４】
2010268356.tif 000006
【図５】
2010268356.tif 000007
【図６】
2010268356.tif 000008
【図７】
2010268356.tif 000009
【図８】
2010268356.tif 000010
【図９】
2010268356.tif 000011
【図１０】
2010268356.tif 000012
【図１１】
2010268356.tif 000013
【図１２】
2010268356.tif 000014
【図１３】
2010268356.tif 000015